(57)【要約】【課題】  プリント記録された画像と元画像データとの関連づけの問題を解消し、プリント記録された画像の複写時や電子データへの再変換時にも劣化を生じなくする。【解決手段】  画像データに応じた画像を記録媒体にプリント記録する画像データプリント装置であって、データに応じて記録媒体に対してプリント記録する画像形成手段と、画像データからプリント用の符号化データを生成するプリント用符号化手段と、プリント記録の際の制御を行う制御手段とを備え、前記制御手段は、前記記録媒体に対して前記画像形成手段を用いて、画像データに応じた画像のプリント記録と、画像データから生成した符号化データのプリント記録とを行うよう制御する。【選択図】      図１
2005254596.tif 000002
【特許請求の範囲】
【請求項１】
画像形成手段を用いて画像データに応じた画像を記録媒体にプリント記録する画像データプリント方法であって、
前記記録媒体に対して前記画像形成手段を用いて画像データに応じた画像をプリント記録すると共に、前記画像データを符号化して符号化データを生成し、この符号化データを該記録媒体に対して前記画像形成手段を用いてプリント記録する、
ことを特徴とする画像データプリント方法。
【請求項２】
前記画像のプリント記録と前記符号化データのプリント記録とは、前記記録媒体の異なる面に対して行い、
前記符号化データのプリント記録は、記録インクあるいは感光材料を用いて行う、
ことを特徴とする請求項１記載の画像データプリント方法。
【請求項３】
前記符号化データのプリント記録は、磁気記録により行う、
ことを特徴とする請求項１記載の画像データプリント方法。
【請求項４】
画像データに応じた画像を記録媒体にプリント記録する画像データプリント装置であって、
データに応じて記録媒体に対してプリント記録する画像形成手段と、
画像データからプリント用の符号化データを生成するプリント用符号化手段と、
プリント記録の際の制御を行う制御手段とを備え、
前記制御手段は、前記記録媒体に対して前記画像形成手段を用いて、画像データに応じた画像のプリント記録と、画像データから生成した符号化データのプリント記録とを行うよう制御する、
ことを特徴とする画像データプリント装置。
【請求項５】
前記制御手段は、前記画像形成手段により、前記画像のプリント記録と前記符号化データのプリント記録とを前記記録媒体の異なる面に対して行わせ、前記符号化データのプリント記録は記録インクあるいは感光材料を用いて行わせる、
ことを特徴とする請求項４記載の画像データプリント装置。
【請求項６】
前記画像形成手段は磁気記録可能に構成されており、前記符号化データのプリント記録を磁気記録により行う、
ことを特徴とする請求項４記載の画像データプリント装置。
【請求項７】
前記符号化データのプリント記録を別媒体に実行し、この別媒体を前記記録媒体に貼付する、
ことを特徴とする請求項１または請求項２のいずれかに記載の画像データプリント方法。    
【請求項８】
前記画像形成手段は、前記符号化データのプリント記録を別媒体に対して実行し、
前記別媒体を前記記録媒体に対して貼付する貼付手段を有する、
ことを特徴とする請求項５または請求項６のいずれかに記載の画像データプリント装置。    
【請求項９】
前記符号化データのプリント記録を別媒体に対して実行する第２画像形成手段と、
前記第２画像形成手段により生成された前記別媒体を前記記録媒体に対して貼付する貼付手段と、
を有することを特徴とする請求項５または請求項６のいずれかに記載の画像データプリント装置。
【発明の詳細な説明】
【技術分野】
【０００１】
本発明は画像データプリント方法および画像データプリント装置に関し、特に、画像形成手段を用いて画像データに応じた画像を記録媒体にプリント記録する際の画像データプリント方法および画像データプリント装置に関する。
【背景技術】
【０００２】
ディジタルカメラで撮影された画像データは、家庭用のインクジェットプリンタ、昇華型プリンタなど等を用いてペーパーにプリント記録することが可能である。また、ディジタルカメラで撮影された画像データは、印画紙等の写真感光材料に対して露光することによりプリント記録することも可能である。
【０００３】
ここで、画像データをコンピュータ機器のハードディスクや各種光ディスクに記録すれば劣化せずに長期間の保存が可能である。しかし、ハードディスクのクラッシュ、光ディスクの紛失等により、元の画像データを失うこともありうる。
【０００４】
また、プリント記録されたペーパー上の画像と、ディスク内の画像データとの対応関係をとることが困難であり、画像データがどこに保存されているかの確認は非常に面倒な作業であった。
【０００５】
また、従来の銀塩フィルムを用いた写真のプリント記録でも、印画紙へのプリント記録と同時にＣＤ−ＲＯＭに画像データを保存してくれるサービスも一般化してきている。しかし、この場合も同様にディスクの紛失等の問題や、ディスクが増えてきた場合にプリントとディスクとの対応関係がとりにくい問題が生じてくる。
【０００６】
なお、プリント記録された画像と、撮影時の撮影付属データとの関係に限定すれば、以下の特許文献１のようにして、プリント記録された画像に関連づけしておく手法も考案されている。
【特許文献１】特開２００３−１６９２７６号公報（第１頁、図１）
【発明の開示】
【発明が解決しようとする課題】
【０００７】
以上の特許文献１にあるような手法では、プリント記録された画像とその撮影データのような付属データのみを関連づけるだけであった。すなわち、プリント記録された画像と元となる画像データとを関連づける手法は存在していなかった。
【０００８】
従って、元になる画像データがみつからな状態で焼き増しする必要が生じた場合には、プリント記録された画像を複写することになり、画像の劣化が生じることが問題となっていた。また、プリント記録された画像から電子データに再変換する必要が生じた場合も、同様な問題が生じてくる。
【０００９】
なお、以上の問題はディジタルカメラで撮影された画像についてだけでなく、コンピュータのワードプロセッサを用いてプリントアウトされた文章についても、電子データとの関連づけの問題や、複写時の劣化の問題、再ディジタル化の劣化や誤認識の問題などが生じている。
【００１０】
本発明は以上の課題に鑑みてなされたものであって、プリント記録された画像と元画像データとの関連づけの問題を解消し、プリント記録された画像の複写時や電子データへの再変換時にも劣化を生じることのない画像データプリント方法および画像データプリント装置を実現することを目的とする。
【課題を解決するための手段】
【００１１】
すなわち、上記の課題を解決する手段としての本願発明は以下に述べるようなものである。
（１）請求項１記載の発明は、画像形成手段を用いて画像データに応じた画像を記録媒体にプリント記録する画像データプリント方法であって、前記記録媒体に対して前記画像形成手段を用いて画像データに応じた画像をプリント記録すると共に、前記画像データを符号化して符号化データを生成し、この符号化データを該記録媒体に対して前記画像形成手段を用いてプリント記録する、ことを特徴とする画像データプリント方法である。
【００１２】
（２）請求項２記載の発明は、前記画像のプリント記録と前記符号化データのプリント記録とは、前記記録媒体の異なる面に対して行い、前記符号化データのプリント記録は、記録インクあるいは感光材料を用いて行う、ことを特徴とする請求項１記載の画像データプリント方法である。
【００１３】
（３）請求項３記載の発明は、前記符号化データのプリント記録は、磁気記録により行う、ことを特徴とする請求項１記載の画像データプリント方法である。
この発明では、符号化データの記録媒体へのプリント記録は、磁気記録により行うようにしている。
【００１４】
（４）請求項４記載の発明は、画像データに応じた画像を記録媒体にプリント記録する画像データプリント装置であって、データに応じて記録媒体に対してプリント記録する画像形成手段と、画像データからプリント用の符号化データを生成するプリント用符号化手段と、プリント記録の際の制御を行う制御手段とを備え、前記制御手段は、前記記録媒体に対して前記画像形成手段を用いて、画像データに応じた画像のプリント記録と、画像データから生成した符号化データのプリント記録とを行うよう制御する、ことを特徴とする画像データプリント装置である。
【００１５】
（５）請求項５記載の発明は、前記制御手段は、前記画像形成手段により、前記画像のプリント記録と前記符号化データのプリント記録とを前記記録媒体の異なる面に対して行わせ、前記符号化データのプリント記録は記録インクあるいは感光材料を用いて行わせる、ことを特徴とする請求項４記載の画像データプリント装置である。
【００１６】
（６）請求項６記載の発明は、前記画像形成手段は磁気記録可能に構成されており、前記符号化データのプリント記録を磁気記録により行う、ことを特徴とする請求項４記載の画像データプリント装置である。
【００１７】
（７）請求項７記載の発明は、前記符号化データのプリント記録を別媒体に実行し、この別媒体を前記記録媒体に貼付する、ことを特徴とする請求項１または請求項２のいずれかに記載の画像データプリント方法である。
【００１８】
（８）請求項８記載の発明は、前記画像形成手段は、前記符号化データのプリント記録を別媒体に対して実行し、前記別媒体を前記記録媒体に対して貼付する貼付手段を有する、ことを特徴とする請求項５または請求項６のいずれかに記載の画像データプリント装置である。
【００１９】
（９）請求項９記載の発明は、前記符号化データのプリント記録を別媒体に対して実行する第２画像形成手段と、前記第２画像形成手段により生成された前記別媒体を前記記録媒体に対して貼付する貼付手段と、を有することを特徴とする請求項５または請求項６のいずれかに記載の画像データプリント装置である。
【発明の効果】
【００２０】
以上の本願発明によれば、以下のような効果を得ることができる。
（１）この発明では、画像形成手段を用いて画像データに応じた画像を記録媒体にプリント記録する際に記録媒体に対して画像データに応じた画像をプリント記録すると共に、画像データを符号化して符号化データを生成してから、この符号化データを該記録媒体に対してプリント記録する。
【００２１】
ここで、符号化データのプリント記録は、０／１で記録されている方式でも、バーコード状の記録方式でも、光ディスクで使用されているピットポジション、ピットエッジ方式の記録方式でも、いずれの記録方式もよく、記録密度から適した記録方式を選択すればよい。
【００２２】
また、ここで画像データは、写真などの画像に関するデータだけではなく、文書を構成する文字（キャラクタ）や罫線や図表に基づくデータであって適用することが可能である。
【００２３】
この結果、同一記録媒体にプリント記録された画像と符号化された元画像データとが記録されているため、プリント記録された画像と元画像データとの関連づけの問題や元画像データを紛失する問題は解消される。また、記録媒体に符号化された元画像データが存在しているため、プリント記録された画像の複写時や電子データへの再変換時にも劣化を生じることもなくなる。
【００２４】
（２）また、この発明では、符号化データの記録媒体へのプリント記録は、画像がプリント記録された面とは異なる面（裏面）に対して、記録インクあるいは感光材料を用いて行うようにしている。
【００２５】
このため、記録媒体の裏面から符号化された元画像データをスキャナなどで光学的に読み取ることができ、プリント記録された画像と元画像データとの関連づけの問題や元画像データを紛失する問題は解消され、プリント記録された画像の複写時や電子データへの再変換時にも劣化を生じることもなくなる。
【００２６】
（３）さらに、この発明では、符号化データの記録媒体へのプリント記録は、画像がプリント記録された面と同じ面（表面）あるいは異なる面（裏面）に対して、磁気記録により行うようにしている。
【００２７】
このため、記録媒体から符号化された元画像データを磁気的に読み取ることができ、プリント記録された画像と元画像データとの関連づけの問題や元画像データを紛失する問題は解消され、プリント記録された画像の複写時や電子データへの再変換時にも劣化を生じることもなくなる。また、このように磁気記録とすることで、画像に対して光学的な影響を与えないため、記録媒体の裏面だけではなく、記録媒体の表面に対して記録することも可能になる。
【００２８】
（７）この発明では、符号化データのプリント記録を別媒体に実行し、この別媒体を記録媒体に貼付する。このため、プリント記録された画像と元画像データとの関連づけの問題や元画像データを紛失する問題は解消され、プリント記録された画像の複写時や電子データへの再変換時にも劣化を生じることもなくなる。また、符号化データがプリント記録された別媒体を貼付するようにしているため、取り扱いが容易になる。
【００２９】
（８）この発明では、符号化データのプリント記録を別媒体に対して実行し、別媒体を記録媒体に対して貼付する。このため、プリント記録された画像と元画像データとの関連づけの問題や元画像データを紛失する問題は解消され、プリント記録された画像の複写時や電子データへの再変換時にも劣化を生じることもなくなる。また、符号化データがプリント記録された別媒体を貼付するようにしているため、取り扱いが容易になる。
【００３０】
（９）この発明では、第２画像形成手段で符号化データのプリント記録を別媒体に対して実行し、別媒体を前記記録媒体に対して貼付する。このため、プリント記録された画像と元画像データとの関連づけの問題や元画像データを紛失する問題は解消され、プリント記録された画像の複写時や電子データへの再変換時にも劣化を生じることもなくなる。また、符号化データがプリント記録された別媒体を貼付するようにしているため、取り扱いが容易になる。
【発明を実施するための最良の形態】
【００３１】
以下、図面を参照して本発明を実施するための最良の形態（以下、実施形態）を詳細に説明する。
〈第１の実施形態〉
まず、図１を参照して本実施形態の画像データプリント装置１００の電気的構成の具体例を説明する。
【００３２】
なお、この画像データプリント装置１００は、基本的には、画像データや文字データなどの各種データ（以下、この各種データを画像データと言う）に応じて、画像形成手段（プリントエンジン）を用いて、各種印刷用紙や感光材料などの記録媒体に対してプリント記録する画像出力装置やプリンタと呼ばれる装置である。したがって、プリント記録は、トナーを用いた電子写真方式の記録、インクを吐出するインクジェット記録、感光材料への光記録、のいずれであってもよい。
【００３３】
ここで、画像データプリント装置１００は以下の各手段から構成されている。
１０１は画像データプリント装置１００の各部を制御する制御手段としてＣＰＵなどで構成された制御部であり、後述する画像データに応じたプリント記録の制御、符号化データを生成する制御、符号化データのプリント記録の制御、などを行う。
【００３４】
１０２は各種の操作や指示に関する各種入力を受け付ける操作手段と、各種状態や各種メッセージを表示する表示手段とを構成する操作表示部である。
１１０は入力された画像データをプリント記録する際に一時的に記憶しておく作業用メモリ、画像データに所定の画像処理を施す際の作業用メモリ、符号化データを生成する際の作業用メモリとしても使用される画像メモリである。
【００３５】
１２０は画像メモリ１１０に格納されている画像データに対してプリント記録の際に必要な各種画像処理を施す画像処理部である。
１３０は画像メモリ１１０に格納されている画像データを符号化してプリント記録用の符号化データを生成するプリント用符号化部である。
【００３６】
１４０は画像データや符号化データに応じた画像や符号を、各種印刷用紙や感光材料などの記録媒体に対して、インクジェット記録や光記録などによりプリント記録する画像形成手段としてのプリントエンジンである。
【００３７】
なお、この画像データプリント装置１００に対しての画像データの入力はコンピュータやディジタルカメラやメモリカードや画像サーバなどの外部機器から直接入力されてもよいし、電波あるいは赤外線によって入力されてもよいし、ネットワークを介して入力されてもよい。
【００３８】
以上のような画像データプリント装置１００において、第１の実施形態の特徴部分の動作について、図２以降のフローチャートを参照して説明する。なお、以下の説明で、特に断りが無い場合には、ＣＰＵ１０１による制御であるとする。
【００３９】
まず、画像データプリント装置１００がプリント記録可能な状態にあるとき、外部機器から画像データが入力される（図２Ｓ１）。
このようにして入力された画像データは画像メモリ１１０に一時的に記憶される。そして、画像メモリ１１０に格納された画像データに基づいて、プリントエンジン１４０が記録媒体上に画像を記録する（図２Ｓ２）。なお、記録媒体が印画紙である場合には感光記録を行い、記録媒体がインクジェット用紙である場合にはインクジェット記録を行う。
【００４０】
ここで、制御部１０１は実行中のプリント記録についての設定状態を確認し（図２Ｓ３）、画像データに応じた符号化データを該記録媒体に対して付す設定になっていない場合（図２Ｓ３でＮ）には、以上の処理を終了する（図２エンド）。
【００４１】
また、制御部１０１は実行中のプリント記録についての設定状態を確認し、画像データに応じた符号化データを該記録媒体に対して付す設定になっている場合（図２Ｓ３でＹ）には、更に符号化データに別情報を含める設定になっているかを調べる（図２Ｓ４）。
【００４２】
符号化データを該記録媒体に対して付す設定になっている場合（図２Ｓ３でＹ）であって、更に別情報を符号化データに含める設定になっている場合（図２Ｓ３でＹ）、制御部１０１は操作表示部１０２から別情報の入力を受け付ける（図２Ｓ５）。
【００４３】
ここで、別情報とは、画像データに関連するコメント文、画像データに関連する時刻情報（撮影日時情報）、画像データに関連する場所情報（撮影場所情報）などであって、付加することが任意の情報が該当する。
【００４４】
そして、制御部１０１は、別情報が存在する場合には画像データと別情報とから、別情報が存在しない場合には画像データとから、エラー訂正符号などを含めた状態で、制御部０１の指示に基づきプリント用符号化部１３０が符号化データを生成する（図２Ｓ６）。
【００４５】
このようにしてプリント用符号化部１３０で生成された符号化データは画像メモリ１１０に一時的に記憶される。そして、制御部１０１の指示より、画像メモリ１１０に格納された画像データに基づいて、プリントエンジン１４０が記録媒体の裏面に符号化データをプリント記録する（図２Ｓ７）。
【００４６】
ここで、符号化データのプリント記録は、０／１で記録されている方式でも、バーコード状の記録方式でも、光ディスクで使用されているピットポジション、ピットエッジ方式の記録方式でも、いずれの記録方式もよく、記録密度から適した記録方式を選択すればよい。また、符号化データのプリント記録は、インクを用いた記録、感光記録、磁気記録のいずれであってもよい。
【００４７】
なお、画像データに基づく符号化データのディジタル記録に対する実現性については、以下のようになっている。本件出願の出願時点における一般的なプリンタやスキャナの解像度を２４００ドット／２５．４mm程度とすると、１０μｍ×１０μｍ程度の最小ピットの記録が可能である。
【００４８】
この場合、図３（ａ）のようにスタートを示すマーク（図３（ａ）(1)）や、プリンタやスキャナの倍率を調整するための補正ピット（図３（ａ）(2)）などを設けるようにしてもよい。その他、各種の位置合わせのためのマークやエンド位置のマークなどを各部に配置してもよい。
【００４９】
ここで、記録変調方式およびエラー訂正方式の方式にもよるが、一般的なストレージディバイスの変調方式（例えば１−７変調）、ピットエッジ記録およびエラー訂正方式を用いれば、この記録密度で約１．５〜２．０ｋバイト／mm2程度は記録可能である。
【００５０】
Ｌ版と呼ばれる写真プリントは８９mm×１２７mmの大きさであり、面積１１３０３（平方mm）であるので、周りの余白を考慮しても１５Ｍバイト程度の記録は裏面白紙部分に可能であると考えられる。ここで、６００万画素のディジタルカメラで撮影した画像をＲＡＷデータで保存する場合は約７Ｍバイトになる。また、一般的なＪＰＥＧ圧縮を用いた保存方法では、約２Ｍバイトあれば足りる。
【００５１】
従って、以上のようにＬ版プリントの裏面の白紙部分に１５Ｍバイト記録可能なことから、画像に基づく符号化データを十分記録可能であると考えられる。すなわち、ＪＰＥＧ圧縮された画像データに基づく符号化データを記録するのであれば、より低解像度のプリンタやスキャナを用いることも可能になる。
【００５２】
また、画素数の大きなディジタルカメラで撮影した画像については、Ｌ版よりも大きなサイズの２Ｌサイズやキャビネサイズなどの印画紙の写真プリントを作成することから、裏面の白紙部分のサイズも大きくなるため、同じ解像度のプリンタやスキャナを用いたとしても、より大きなサイズの符号化データの記録に対応することが可能になる。
【００５３】
なお、写真プリントの裏面白紙部分だけでなく、画像領域の周囲に余白を残す「ふち有りプリント」を作成しておいて、その表面余白部分にＪＰＥＧ圧縮された符号化データを記録するなどの変形も可能である（図３（ｂ）参照）。
【００５４】
また、符号化データの写真プリントへのプリント記録は、インク記録や感光記録だけでなく、画像がプリント記録された面と同じ面（表面）あるいは異なる面（裏面）のいずれかに対して、磁気記録により行うようにしてもよい。このように磁気記録とすることで、写真プリントの表面の画像に対して光学的な影響を与えないため、写真プリントの裏面だけではなく、写真プリントの表面に対して記録することも可能になる。
【００５５】
また、以上の場合に、実際にプリント記録された画像に対応する画像データと同等の符号化データを生成するだけではなく、画像の一部がトリミングされた状態でプリント記録されるような場合には、画像の全体についての画像データから符号化データを生成してプリント記録するようにしてもよい。
【００５６】
なお、この場合には、外部機器からは、全体の画像データ（プリント記録する画像よりも大きな範囲を含む画像データ）と、画像のプリント記録のためのトリミング情報が与えられる必要がある。もしくは、外部機器から全体の画像データが与えられ、操作表示部１０２でトリミングの指示が与えられる場合でもよい。そして、このような場合には、全体の画像に対応する画像データと、トリミング情報（トリミング指示）とから、符号化データを生成することが望ましい。このようにすることで、後に、全体の画像をプリントすることも可能になる。
【００５７】
なお、以上の画像と符号化データとプリント記録は、ディジタルカメラで撮影された画像についてだけでなく、コンピュータのワードプロセッサを用いてプリントアウトされた文章、ＣＡＤデータに基づいて作成された図面、などについても適用することが可能である。
【００５８】
また、以上の画像データに基づいて画像をプリント記録する画像形成装置の実施形態は、ＣＡＤデータに基づいて立体の造形物を生成する３次元モデリングマシンに対して適用することも可能である。すなわち、ＣＡＤデータに基づいて生成された立体物に、ＣＡＤデータに基づく符号化データをプリント記録することも可能である。これにより、立体の造形物とＣＡＤデータとのとの関連づけの問題や元ＣＡＤデータを紛失する問題は解消される。
【００５９】
図４はプリント記録された画像を複写する際の実施形態を示すフローチャートである。この複写を実行する際には、図１の画像データプリント装置１００のほかに、画像読み取り装置としてのスキャナ（図示せず）、および、符号化データを処理するためのコンピュータ（図示せず）が必要になる。
【００６０】
まず、プリント記録された記録媒体のいずれの位置にも符号化データが存在していない場合には（図４Ｓ１でＮ）、記録媒体表面の画像そのものをスキャナで読み取り（図４Ｓ２）、読み取った画像に鮮鋭性補正などの画像処理を施し（図４Ｓ３）、画像をプリント記録する（図４Ｓ４）。この場合、光学的な複写となるため、画像に若干の劣化が生じることは避けられない。
【００６１】
プリント記録された記録媒体のいずれかの位置に符号化データが存在している場合には（図４Ｓ１でＹ）、記録媒体表面の画像そのものではなく、記録媒体の裏面あるいは表面の余白部分などに存在する符号化データをスキャナで読み取り（図４Ｓ５）、読み取った符号化データを復号化してエラー訂正などの必要な処理を施して元の画像データを抽出する（図４Ｓ６）。そして、抽出した画像データにより画像をプリント記録する（図４Ｓ７）。さらに、記録媒体のいずれかの位置に符号化データをプリント記録する（図４Ｓ８）。
【００６２】
この場合、光学的な複写ではなく、符号化データに基づくディジタル的な複写であり、複写元のプリント記録と少なくとも同一の状態でプリント記録を実行することが可能になり、画像に劣化が生じることなく再現することができる。
【００６３】
また、この場合、光学的な複写ではなく、符号化データに基づくディジタル的な複写であるため、複写元のプリント記録よりも大きなサイズに複写する場合であっても、光学的な場合のような拡大時の劣化は生じることが無く、符号化データが有する性能に起因する物の、拡大しても精細さを保った状態でプリント記録を実行することが可能になる。
【００６４】
なお、ある程度の年数が経過して当初のプリント記録時よりもプリントエンジンの性能が向上した場合、たとえば、解像度やダイナミックレンジや色域が拡大された場合には、符号化データを用いて再プリント記録することにより、複写元のプリント記録よりも優れた状態でプリント記録された写真プリントを得ることも可能になる。
【００６５】
図５はプリント記録された画像を電子データとしてストレージ手段に保存する際の実施形態を示すフローチャートである。
この複写を実行する際には、図１の画像データプリント装置１００のほかに、画像読み取り装置としてのスキャナ（図示せず）、スキャナからの画像データあるいは符号化データを処理するためのコンピュータ（図示せず）、コンピュータに接続されたストレージ手段（ハードディスク、光ディスク、光磁気ディスク、半導体メモリなど）が必要になる。
【００６６】
まず、プリント記録された記録媒体のいずれの位置にも符号化データが存在していない場合には（図５Ｓ１でＮ）、記録媒体表面の画像そのものをスキャナで読み取り（図５Ｓ２）、スキャナで生成された画像データはコンピュータに送られる。そして、コンピュータにおいて、必要に応じて読み取った画像に鮮鋭性補正などの画像処理を施し、読み取って得た画像データから記録用の画像データを生成する（図５Ｓ３）。
【００６７】
そして、以上のようにして生成された記録用の画像データを、ストレージ手段に対して保存する（図５Ｓ７）。この場合、光学的な読み取りにより生成した画像データからの記録用の画像データとなるため、画像データに若干の劣化が含まれていることは避けられない。
【００６８】
プリント記録された記録媒体のいずれかの位置に符号化データが存在している場合には（図５Ｓ１でＹ）、記録媒体表面の画像そのものではなく、記録媒体の裏面あるいは表面の余白部分などに存在する符号化データをスキャナで読み取り（図５Ｓ４）、スキャナで生成された画像データ（符号化データに応じた画像データ）はコンピュータに送られる。コンピュータでは、読み取った画像データから符号化データを復号化してエラー訂正などの必要な処理を施して元の画像データを抽出する（図５Ｓ５）。そして、抽出した画像データから、さらに記録用の画像データを生成する（図５Ｓ６）。
【００６９】
そして、以上のようにして生成された記録用の画像データを、ストレージ手段に対して保存する（図５Ｓ７）。この場合、光学的な読み取りにより生成した画像データではなく、符号化データに基づいてディジタル的に得た画像データから記録用の画像データを生成しているため、保存元のプリント記録と同一の状態を再現可能な劣化のない画像データを保存することが可能になり、この画像データを用いることにより劣化が生じない画像を再現することが可能になる。
【００７０】
〈その他の実施形態〉
以上の実施形態の説明では、プリントエンジン１４０で同一の記録媒体に対して画像のプリント記録と符号化データのプリント記録とを行うようにしていた。それ以外に、符号化データのプリント記録をシートあるいはシール状の別媒体に実行し、この別媒体を前記記録媒体に貼付することも可能である。この場合、図６のような画像プリント部１４１で主たる記録媒体（写真感光材料、印画紙など）に対してプリント記録を行う。そして、平行して、符号化データプリント部１４２で別媒体としてのシートあるいはシールに符号化データをプリント記録する。そして、貼付部１４３が、符号化データがプリント記録された別媒体を、画像がプリント記録された記録媒体に対して貼付し、プリントアウトとして装置外に出力する。
【００７１】
なお、この図６ではプリントエンジン１４０内に画像プリント部１４１と符号化データプリント部１４２と貼付部１４３とが収められて構成されているが、これらを別の独立したユニットや回路として構成することも可能である。
【００７２】
なお、このように別媒体を用いる手法を、ＣＡＤデータに基づいて立体の造形物を生成する３次元モデリングマシンに対して適用することも可能である。すなわち、ＣＡＤデータに基づいて生成された立体物に、ＣＡＤデータに基づく符号化データがプリント記録されたシールやシートを貼付することも可能である。これにより、立体の造形物とＣＡＤデータとのとの関連づけの問題や元ＣＡＤデータを紛失する問題は解消される。
【図面の簡単な説明】
【００７３】
【図１】本発明の実施形態の画像データプリント装置の電気的な構成を示す構成ブロック図である。
【図２】本発明の実施形態の画像データプリント装置の動作を示すフローチャートである。
【図３】本発明の実施形態の画像データプリント装置の動作例の状態を示す説明図である。
【図４】本発明の実施形態の画像データプリント装置の動作を示すフローチャートである。
【図５】本発明の実施形態の画像データプリント装置の動作を示すフローチャートである。
【図６】本発明の実施形態の画像データプリント装置の電気的な構成を示す構成ブロック図である。
【符号の説明】
【００７４】
１００  画像データプリント装置
１０１  制御部
１０２  操作表示部
１１０  画像メモリ
１２０  画像処理部
１３０  プリント用符号化部
１４０  プリントエンジン
【図１】
2005254596.tif 000003
【図２】
2005254596.tif 000004
【図３】
2005254596.tif 000005
【図４】
2005254596.tif 000006
【図５】
2005254596.tif 000007
【図６】
2005254596.tif 000008